(57)【特許請求の範囲】
【請求項１】
複数の医療用ポンプを配列して収容し、該収容した医療用ポンプと通信可能に接続される医療用ポンプ収容ラックであって、
収容された前記複数の医療用ポンプのうち、所定の２台の医療用ポンプについて、互いに連携して動作させることが可能か否かを、該２台の医療用ポンプそれぞれが収容された収容位置を示す情報と、該２台の医療用ポンプそれぞれに設定された薬剤情報とに基づいて判断する連携可否判断手段と、
前記連携可否判断手段において、連携して動作させることが可能であると判断した場合に、前記２台の医療用ポンプに対して行われる、薬剤の送液の開始指示の操作を有効にするための連携可能通知を、該２台の医療用ポンプに対して送信する連携可能通知送信手段と、を備え、
前記連携可否判断手段は、前記２台の医療用ポンプそれぞれが収容された収容位置が互いに隣接しており、かつ、前記２台の医療用ポンプそれぞれに設定された薬剤情報がＰＰＢ法またはＷ法による送液に適用可能な薬剤情報と一致していた場合に、連携して動作させることが可能であると判断することを特徴とする医療用ポンプ収容ラック。
【請求項２】
前記連携可否判断手段は、前記収容された複数の医療用ポンプのうち、ユーザによって、連携して動作させる旨の指示がなされた医療用ポンプを識別し、該識別した医療用ポンプを対象に、連携して動作させることが可能か否かを判断することを特徴とする請求項１に記載の医療用ポンプ収容ラック。
【請求項３】
前記連携可能通知送信手段により連携可能通知が送信された前記２台の医療用ポンプのうち先に送液が開始された先発の医療用ポンプから連携開始指示が送信された場合に、前記２台の医療用ポンプの間の連携が成立したものとし、前記２台の医療用ポンプのうち後に送液が開始される後発の医療用ポンプに連携成立通知を送信する連携成立判断手段を更に備え、
前記連携成立判断手段により、前記連携成立通知が送信された場合に、前記後発の医療用ポンプによる送液が開始されることを特徴とする請求項２に記載の医療用ポンプ収容ラック。
【請求項４】
前記先発の医療用ポンプから前記連携開始指示が送信された時点で、前記後発の医療用ポンプに対して、ユーザが送液の開始指示の操作を行っていなかった場合に、該後発の医療用ポンプに対して警報指示を送信する警報送信手段を更に備え、
前記連携成立判断手段は、前記警報送信手段による警報指示の送信に応じて前記後発の医療用ポンプにおいて警報が出力された場合であって、前記ユーザにより該警報の出力を停止する操作が行われた場合に、前記後発の医療用ポンプに対して前記連携成立通知を送信することを特徴とする請求項３に記載の医療用ポンプ収容ラック。
【請求項５】
複数の医療用ポンプを配列して収容し、該収容した医療用ポンプと通信可能に接続される医療用ポンプ収容ラックの制御方法であって、
収容された前記複数の医療用ポンプのうち、所定の２台の医療用ポンプについて、互いに連携して動作させることが可能か否かを、該２台の医療用ポンプそれぞれが収容された収容位置を示す情報と、該２台の医療用ポンプそれぞれに設定された薬剤情報とに基づいて判断する連携可否判断工程と、
前記連携可否判断工程において、連携して動作させることが可能であると判断した場合に、前記２台の医療用ポンプに対して行われる、薬剤の送液の開始指示の操作を有効にするための連携可能通知を、該２台の医療用ポンプに対して送信する連携可能通知送信工程と、を備え、
前記連携可否判断工程では、前記２台の医療用ポンプそれぞれが収容された収容位置が互いに隣接しており、かつ、前記２台の医療用ポンプそれぞれに設定された薬剤情報がＰＰＢ法またはＷ法による送液に適用可能な薬剤情報と一致していた場合に、連携して動作させることが可能であると判断することを特徴とする医療用ポンプ収容ラックの制御方法。
【請求項６】
請求項５に記載の制御方法の各工程をコンピュータに実行させるためのプログラム。
【発明の詳細な説明】
【技術分野】
【０００１】
本発明は、複数の医療用ポンプを配列して収容する医療用ポンプ収容ラック及びその制御方法に関するものである。
【背景技術】
【０００２】
病院等の医療現場では、薬剤を患者の体内に投与するためのポンプとして、輸液バッグ中の薬剤を、制御された輸液速度で輸液チューブを介して注入する輸液ポンプや、シリンジ内の薬剤を、制御された輸液速度で注入するシリンジポンプ等が用いられている。
【０００３】
一般に、これらの輸液ポンプやシリンジポンプ（本明細書では、これらを総称して医療用ポンプと称する）は、１種類の薬剤を送液するのに用いられる。このため、手術室や集中治療室などにおいて複数の薬剤を同時に患者に投与するためには、薬剤の種類に応じた複数の医療用ポンプが必要となってくる。
【０００４】
また、輸液バックやシリンジには予め定められた量の薬剤のみ装填されており、同一種類の薬剤を連続的かつ多量に患者に投与するためには、投与する量に応じた複数の医療用ポンプを用意しておき、これらをシーケンシャルに動作させる必要がある（なお、このように、複数の医療用ポンプをシーケンシャルに動作させ、同一種類の薬剤を連続して投与する方法を、「Ｗ法」と称す）。
【０００５】
更に、複数の薬剤を順次投与する場合であっても、間隔をあけることなく連続的に患者に投与するためには、予め複数の医療用ポンプを用意しておき、これらをシーケンシャルに動作させる必要がある（なお、このように、複数の医療用ポンプをシーケンシャルに動作させ、２種類の薬剤を連続して投与する方法を、「ＰＰＢ法」（ＰＰＢ：ＰａｉｒＰｉｇｇｙＢａｃｋ）と称す）。
【０００６】
このように、医療現場では、一人の患者に対して複数の医療用ポンプが用いられることも多く、その場合に、医療用ポンプを机上に並べたり、床に置いたりすることは、医師等による作業の妨げになるうえ、それらを移動する際の作業負荷の増大にもつながることから、通常は、これらを配列して収容する医療用ポンプ収容ラックが利用される（例えば、特許文献１参照）。
【先行技術文献】
【特許文献】
【０００７】
【特許文献１】特開平１１−３４７１１８号公報
【発明の概要】
【発明が解決しようとする課題】
【０００８】
しかしながら、複数の医療用ポンプが医療用ポンプ収容ラックに配列して収容された場合、操作すべき医療用ポンプとは異なる医療用ポンプを誤って操作してしまうといった事態も生じえる。特に、上記Ｗ法やＰＰＢ法により複数の医療用ポンプを連携して動作させようとした場合、設定操作や動作指示操作等が通常の送液と比べて煩雑化するため、誤操作も生じやすい。
【０００９】
一方で、Ｗ法やＰＰＢ法による送液の場合、連携して動作させるべき医療用ポンプそれぞれが、自ポンプに対するユーザの誤操作を監視するのみならず、連携して動作させるべき他方の医療用ポンプの動作状況についても監視しておくことが重要となってくる。他方の医療用ポンプの動作状況によっては、連携を解消させたり、動作を停止させたりする必要があるからである。
【００１０】
このようなことから、医療用ポンプ収容ラックに収容された複数の医療用ポンプを用いてＷ法やＰＰＢ法による送液を行うにあたっては、医療用ポンプ収容ラックにて、各医療用ポンプの監視を行い、ユーザによる誤操作の防止を図る構成とすることが望ましい。
【００１１】
本発明は上記課題に鑑みてなされたものであり、Ｗ法またはＰＰＢ法による送液を行う複数の医療用ポンプの監視を行い、当該医療用ポンプに対するユーザの誤操作を低減させる医療用ポンプ収容ラックを提供することを目的とする。
【課題を解決するための手段】
【００１２】
本発明の１つの側面は、複数の医療用ポンプを配列して収容し、該収容した医療用ポンプと通信可能に接続される医療用ポンプ収容ラックであって、収容された前記複数の医療用ポンプのうち、所定の２台の医療用ポンプについて、互いに連携して動作させることが可能か否かを、該２台の医療用ポンプそれぞれが収容された収容位置を示す情報と、該２台の医療用ポンプそれぞれに設定された薬剤情報とに基づいて判断する連携可否判断手段と、前記連携可否判断手段において、連携して動作させることが可能であると判断した場合に、前記２台の医療用ポンプに対して行われる、薬剤の送液の開始指示の操作を有効にするための連携可能通知を、該２台の医療用ポンプに対して送信する連携可能通知送信手段と、を備え、前記連携可否判断手段は、前記２台の医療用ポンプそれぞれが収容された収容位置が互いに隣接しており、かつ、前記２台の医療用ポンプそれぞれに設定された薬剤情報がＰＰＢ法またはＷ法による送液に適用可能な薬剤情報と一致していた場合に、連携して動作させることが可能であると判断する。
【発明の効果】
【００１３】
本発明によれば、Ｗ法またはＰＰＢ法による送液を行う複数の医療用ポンプの監視を行い、当該医療用ポンプに対するユーザの誤操作を低減させる医療用ポンプ収容ラックを提供することが可能となる。
【図面の簡単な説明】
【００１４】
【図１】Ｗ法による送液を説明するための図である。
【図２】医療用ポンプ収容ラックの外観構成を示す図である。
【図３】複数の医療用ポンプが収容された医療用ポンプ収容ラックにおける制御構成を示す図である。
【図４】Ｗ法により送液を行う場合の先発ポンプ及び後発ポンプの動作、及び、その場合の医療用ポンプ収容ラック２００のＷ法監視機能における各種処理を説明するための図である。
【図５】医療用ポンプ収容ラックにおける連携可否判断処理の詳細な流れを示すフローチャートである。
【図６】医療用ポンプ収容ラックにおける連携成立判断処理の詳細な流れを示すフローチャートである。
【図７】医療用ポンプにおける送液開始処理の流れを示すフローチャートである。
【図８】ＰＰＢ法による送液を説明するための図である。
【図９】複数の医療用ポンプが収容された医療用ポンプ収容ラックにおける制御構成を示す図である。
【図１０】ＰＰＢ法により送液を行う場合の先発ポンプ及び後発ポンプの動作、及び、その場合の医療用ポンプ収容ラックのＰＰＢ監視機能における各種処理を説明するための図である。
【図１１】医療用ポンプ収容ラックにおける連携可否判断処理の詳細な流れを示すフローチャートである。
【図１２】医療用ポンプ収容ラックにおける連携成立判断処理の詳細な流れを示すフローチャートである。
【図１３】医療用ポンプにおける送液開始処理の流れを示すフローチャートである。
【発明を実施するための形態】
【００１５】
以下、本発明の各実施形態について図面を参照しながら説明する。
【００１６】
［第１の実施形態］
＜１．Ｗ法による送液についての説明＞
はじめにＷ法による送液について説明する。Ｗ法は、２つの医療用ポンプをシーケンシャルに動作させることで、同一の薬剤を、その流量を変更させることなく持続して患者に送液する投与方法である。
【００１７】
一般に、２つの医療用ポンプを動作させるにあたり、医療用ポンプにより送液される流量が少ない場合には、２台目（後発ポンプ）の医療用ポンプの送液の立ち上がりが遅くなる。Ｗ法は、このような送液の立ち上がりの遅れに伴う流量の変動を回避すべく、１台目のポンプ（先発ポンプ）の送液が終了してからではなく、終了する少し前から２台目のポンプ（後発ポンプ）の送液を開始させるものである。
【００１８】
Ｗ法による送液では、２台の医療用ポンプによる合算流量はほぼ一定となるように制御されるとともに、最終的に先発ポンプが送液を終了した時点で、後発ポンプの流量が連携開始時点の流量となるように制御される。なお、合算流量の制御はこれに限定されず、例えば、後発ポンプの送液の立ち上がりの遅れに伴う流動変動を回避するために、連携中の２台の医療ポンプによる合算流量が基準流量を上回るように予め設定しておき、これに基づいて制御するようにしてもよい（なお、「基準流量」とは、連携開始直前の先発ポンプの流量（後発ポンプが引き継ぐ流量）をいう）。
【００１９】
図１は、所定の２台の医療用ポンプ（ポンプＡとポンプＢ）を用いてＷ法による送液を行う場合の、各ポンプの流量の時間変化および両ポンプの合算流量の時間変化を示す図である。
【００２０】
このうち、グラフ１００は先に送液を行うポンプＡ（先発ポンプ）の流量の時間変化を、グラフ１１０はポンプＡの後に送液を行うポンプＢ（後発ポンプ）の流量の時間変化をそれぞれ示している。
【００２１】
なお、グラフ１００及びグラフ１１０において、流量を段階的に変更させていくことを「ステップ」と称し、流量の変更回数を「ステップ数」と称することとする。グラフ１００及びグラフ１１０の例では、ステップ数は“４”である。
【００２２】
なお、当該ステップ数及び各ステップの時間間隔、各ステップにおける流量（ステップ流量）は、Ｗ法テーブルとして、予め薬剤情報と対応付けて、各医療用ポンプに格納されているものとする。そして、各医療用ポンプにてユーザにより薬剤が選択され、対応するＷ法テーブルが読み出されることで、各医療用ポンプでは、当該読み出されたＷテーブルに従って、ステップ数、各ステップの時間間隔及びステップ流量を設定する。
【００２３】
また、ステップ数、各ステップの時間間隔及びステップ流量が設定されることにより、流量を段階的に変更させていく際の変更開始タイミング（連携開始タイミング）と、流量がゼロとなるタイミング（連携終了タイミング）が決定される。なお、本実施形態において、上記ステップ流量は、連携開始タイミングにおけるポンプＡ（先発ポンプ）の流量を１００％とした場合の、割合として設定されているものとする。
【００２４】
Ｗ法による送液によれば、ポンプＡ及びポンプＢがグラフ１００及びグラフ１１０に示す時間変化に従って制御されることで、ポンプＡ及びポンプＢの合算流量はほぼ一定となるとともに、ポンプＡの送液が終了した時点で（連携終了タイミングにおいて）、ポンプＢの流量は、連携開始タイミングにおけるポンプＡの流量となる（グラフ１２０参照）。なお、例えば、Ｗ法テーブルの最終ステップに移行する前に、ポンプＡの残量がなくなってしまった場合（あるいは、ポンプＡの残量が少なくなったことを通知する残量警報が発生した場合）には、ポンプＢの流量はＷ法テーブルに関係なく、最終ステップの流量（連携開始時のポンプＡの流量）に変更するよう制御され、これにより、ポンプＢにおいてポンプＡの流量が保たれることとなる。
【００２５】
＜２．医療用ポンプ収容ラックの外観構成＞
次に、Ｗ法により送液を行う医療用ポンプが収容される医療用ポンプ収容ラックの外観構成について説明する。
【００２６】
図２（Ａ）は、複数の医療用ポンプが収容される医療用ポンプ収容ラック２００の外観構成を示す図である。図２（Ａ）に示すように、医療用ポンプ収容ラック２００には、複数の医療用ポンプ（本例では、３台の医療用ポンプ）が縦に配列されるよう、医療用ポンプをそれぞれ１台ずつ収容するための収容部２０１〜２０３が縦方向に設けられている。
【００２７】
各収容部２０１〜２０３は、前面側が開放されており、医療用ポンプを前面側から挿入できるように構成されている。また、各収容部２０１〜２０３の背面側には、医療用ポンプの収容位置に対応してポート２１１〜２１３（図２（Ａ）では、ポート２１１のみ図示）が配置されている。複数のポート２１１〜２１３の各々は、医療用ポンプと接続可能なコネクタにより形成されており、各医療用ポンプは各ポート２１１〜２１３を介して医療用ポンプ収容ラック２００と通信可能に接続される。なお、ポート２１１〜２１３には、縦に配列された収容位置の上から順に＃１、＃２、＃３という識別番号が割り当てられているものとする。
【００２８】
図２（Ｂ）は、複数の医療用ポンプが収容された医療用ポンプ収容ラック２００の外観構成を示す図である。
【００２９】
図２（Ｂ）において、医療用ポンプ（輸液ポンプ）２２１〜２２３は、紙面右側のチューブ２３１〜２３３に接続された不図示の輸液バッグ内の薬剤を、紙面左側のチューブ２４１〜２４３に接続された不図示の患者に対して送液する。
【００３０】
医療用ポンプ２２１〜２２３の前面側には、各種設定及び各種動作指示を入力するための操作ボタンや、医療用ポンプ２２１〜２２３における送液状態等を表示する表示部が設けられており、ユーザは、表示部の表示を見ながら各操作ボタンを操作することで、患者への薬剤の投与を行う。
【００３１】
なお、上記説明では、医療用ポンプ収容ラック２００における医療用ポンプの収容台数を３台としているが、本発明はこれに限定されるものではない。また、上記説明では、医療用ポンプ収容ラック２００に収容される医療用ポンプとして、輸液ポンプを例に説明したが、本発明はこれに限定されず、シリンジポンプなどの他の医療用ポンプであってもよい。
【００３２】
＜３．医療用ポンプシステムの制御構成＞
図３は、本実施形態に係る医療用ポンプ収容ラック２００と医療用ポンプ２２１〜２２３の制御構成例を示すブロック図である。医療用ポンプ収容ラック２００の３つのポート２１１〜２１３は、それぞれ通信モジュール３０２に接続されている。通信モジュール３０２は、ポート２１１〜２１３を介して医療用ポンプ２２１〜２２３からの信号（データ）を受信すると、その受信したデータと受信したポートの番号（＃１〜＃３のいずれかのポート番号）とを制御部３０１に通知する。
【００３３】
また、制御部３０１から、ポート番号とデータ（コマンド等）の対を受信すると、当該ポート番号に対応するポート２１１〜２１３に対して制御部３０１から受信したデータを出力する。こうして、医療用ポンプ収容ラック２００の制御部３０１は、収容されている複数の医療用ポンプ２２１〜２２３のそれぞれと個別に通信することが可能となっている。なお、制御部３０１は、不図示のＣＰＵ、ＲＯＭ、ＲＡＭを備えるコンピュータであり、図５、図６のフローチャートに示す処理（連携可否判断処理、連携成立判断処理）を含むＷ法監視機能に関する各種処理プログラムを実行する。
【００３４】
一方、医療用ポンプ２２１において、表示部３１１は、たとえば液晶パネルを有し、ポンプ制御部３１２の制御下で各種表示を行う。操作部３１３は、各種設定や各種動作指示を入力する操作ボタンを含む。
【００３５】
コネクタ３１６はポート２１１と接続し、医療用ポンプ２２１と医療用ポンプ収容ラック２００との電気的な接続（通信）を実現する。なお、コネクタ３１６とポート２１１との間はケーブルを介して接続されるものとする。或いは、コネクタ３１６とポート２１１は直接的に接続されていてもよい（たとえば、医療用ポンプ２２１を医療用ポンプ収容ラック２００に収容することでコネクタ３１６とポート２１１とが接続されるようにしてもよい）。
【００３６】
ポンプ制御部３１２は、送液機構３１４を制御して、送液を制御する。医療用ポンプ２２１が輸液ポンプの場合、送液機構３１４は、たとえば送液用の複数のフィンガーを備え、複数のフィンガーが順次に輸液チューブを押すことによりチューブ内の薬液を送出するよう構成される。また、医療用ポンプ２２１がシリンジポンプの場合にあっては、送液機構３１４はシリンジを装着してその押し子を押圧する構成となる。
【００３７】
なお、操作部３１３より入力された信号（データ）は、ポンプ制御部３１２、通信モジュール３１５を介して医療用ポンプ収容ラック２００に送信され、上記Ｗ法監視機能に関する各種処理に用いられる。また、医療用ポンプ収容ラック２００より送信された信号（データ）は、通信モジュール３１５を介して受信され、ポンプ制御部３１２においてＷ法による送液のための処理に用いられる。
【００３８】
以上のような制御構成のもと、医療用ポンプ２２１を先発ポンプ、医療用ポンプ２２２を後発ポンプとして、Ｗ法による送液を行う場合の医療用ポンプ収容ラック２００のＷ法監視機能について、以下に説明する。なお、以下では先発ポンプを“ポンプＡ”、後発ポンプを“ポンプＢ”と称して説明を行う。
【００３９】
＜４．Ｗ法による送液時の動作＞
図４は、Ｗ法により送液を行う場合のポンプＡ（先発ポンプ）及びポンプＢ（後発ポンプ）の動作、及び、その場合の医療用ポンプ収容ラック２００のＷ法監視機能による各種処理を説明するための図である。
【００４０】
はじめに、先発ポンプと後発ポンプの決定方法について説明する。医療用ポンプ収容ラック２００では、２台の医療用ポンプからＷ法連携予約の通知（Ｗ法可能薬剤選択の通知）を受けると、一方の医療用ポンプで既に送液が行われている場合にあっては、当該医療用ポンプを先発ポンプ（ポンプＡ）と認識し、もう一方の医療用ポンプに対して、後発ポンプ（ポンプＢ）である旨を通知する。また、両方の医療用ポンプが送液を行っていない場合には、連携予約確立後に先に送液開始通知を受けた方の医療用ポンプを先発ポンプと認識し、もう一方の医療用ポンプに対して、後発ポンプである旨を通知する。また、２台の医療用ポンプがどちらとも既に送液を行っている場合には、連携不成立である旨を両方の医療用ポンプに通知する。
【００４１】
ポンプＡとポンプＢが決定した後、ポンプＡでは、ステップＳ４０１において、投与する薬剤の選択を受け付ける。
【００４２】
更に、ステップＳ４０２において、ステップＳ４０１で受け付けた薬剤に対応付けて格納されているＷ法テーブルを読み出し、ステップ数、各ステップの時間間隔及びステップ流量を設定する。また、ユーザにより設定された流量に基づいて、連携開始タイミング及び連携終了タイミングを決定し、設定する（つまり、Ｗ法による送液を行うために必要な各種パラメータを設定する）。
【００４３】
更に、ステップＳ４０３において、Ｗ法による送液を実現するために、他の医療用ポンプ（本例では、ポンプＢ）と連携する旨の指示を受け付ける。
【００４４】
なお、ステップＳ４０１において選択された薬剤についての情報と、ステップＳ４０３において受け付けた連携する旨の指示は、医療用ポンプ収容ラック２００に送信される。
【００４５】
同様に、ポンプＢでは、ステップＳ４１１において、投与する薬剤の選択を受け付ける。
【００４６】
更に、ステップＳ４１２において、ステップＳ４１１で受け付けた薬剤に対応付けて格納されているＷ法テーブルを読み出し、ステップ数、各ステップの時間間隔及びステップ流量を設定する。また、ユーザにより設定された流量に基づいて、連携開始タイミング及び連携終了タイミングを決定し、設定する（つまり、Ｗ法による送液を行うために必要な各種パラメータを設定する）。
【００４７】
なお、ステップＳ４１１において選択された薬剤についての情報と、ステップＳ４１３において受け付けた連携する旨の指示は、医療用ポンプ収容ラック２００に送信される。
【００４８】
医療用ポンプ収容ラック２００では、ステップＳ４０１、４０３及びステップＳ４１１、４１３において送信された情報に基づいて、ステップＳ４２１において、ポンプＡとポンプＢとを連携させることが可能であるか否かの判断を行う。
【００４９】
このように、ポンプＡとポンプＢにおいて連携する旨の指示が選択された場合に、ポンプＡとポンプＢとの連携可否を、ポンプＡ及びポンプＢより送信された情報に基づいて、医療用ポンプ収容ラック２００が判断する構成とすることで、本来連携されるべきでない医療用ポンプをユーザが誤って連携対象としてしまった場合であっても、当該誤操作がユーザに報知されることとなる（つまり、Ｗ法による送液を行うためのユーザによる各種操作における誤操作を低減させることが可能となる）。なお、連携可否判断処理の詳細は後述する。
【００５０】
ステップＳ４２１における連携可否判断処理の結果、連携可能であると判定された場合、医療用ポンプ収容ラック２００では、ポンプＡ及びポンプＢにその旨を通知する（連携可能通知）。
【００５１】
ステップＳ４２１において通知された、連携可否判断処理の結果が、連携可能であった場合、ポンプＡでは、ステップＳ４０４において、ユーザによる送液開始指示の入力を受け付ける（ユーザによる送液開始指示の操作が有効になる）。
【００５２】
更に、当該指示の入力を受け付けた場合には、ステップＳ４０５において、送液が開始されるとともに、送液が開始されたことが医療用ポンプ収容ラック２００に通知される。
【００５３】
医療用ポンプ収容ラック２００では、ステップＳ４２２において、ポンプＡにより送液が開始された旨の通知をポンプＡより受信すると、ポンプＢにその旨を通知する。
【００５４】
ポンプＢでは、当該通知を受信すると、ユーザによる送液開始指示の操作を有効にする。以降、連携開始タイミングに到達するまでの間、ポンプＢでは、送液開始指示の受け付けが可能となる。
【００５５】
ステップＳ４１４において、ポンプＢが、ユーザによる送液開始指示の入力を受け付けると、ポンプＢでは、その旨を医療用ポンプ収容ラック２００に通知する。
【００５６】
これにより、医療用ポンプ収容ラック２００では、ステップＳ４２２において、ポンプＢの送液準備が完了したと認識する。
【００５７】
なお、このように、ポンプＡのみならずポンプＢにおいてもユーザに送液開始指示を入力させる構成としたのは、患者の安全性の確保を考慮したためである。つまり、ポンプＡの送液開始指示を受け付けることで、ポンプＡの送液とポンプＢの送液とを自動的に開始させる構成としてしまうと、ポンプＡの送液開始指示が入力された後は、ユーザによってポンプＢの状態が監視されることなく、ポンプＢの送液が開始されてしまうこととなるからである。
【００５８】
本実施形態に係る医療用ポンプ収容ラック２００では、上記構成とすることで、このような事態を回避することができる。
【００５９】
ステップＳ４２２において、医療用ポンプ収容ラック２００では、更に、ポンプＢの送液準備が完了したと認識すると、連携開始タイミングまで待機する。
【００６０】
なお、この状態で、ポンプＡに対して流量設定変更の指示が入力され、ポンプＡの送液中の流量設定が変更されると、その旨の通知が医療用ポンプ収容ラック２００に送信される（ステップＳ４０６）。この場合、医療用ポンプ収容ラック２００では、ポンプＡより受信した流量設定変更の通知をポンプＢに対して送信する。ただし、流量設定変更の通知は、医療用ポンプ収容ラック２００がその都度ポンプＢに通知するように構成してもよいし、連携開始のタイミングで行う流量通知に含めて通知するように構成してもよい。
【００６１】
更に、連携開始タイミングに到達し、ステップＳ４０７において、ポンプＡが連携開始指示を送信すると、医療用ポンプ収容ラック２００では、ステップＳ４２２において、ポンプＡより送信された連携開始指示により、ポンプＡとポンプＢとの間の連携が成立したものと認識し、ポンプＡ及びポンプＢに対してその旨を通知する（連携成立通知）。なお、ステップＳ４２２におけるこれらの処理（連携成立判断処理）の詳細は後述する。
【００６２】
ポンプＢでは、ステップＳ４１５において、医療用ポンプ収容ラック２００より、流量設定変更の通知を受信すると、変更後の流量設定に基づいて、ステップ流量を設定する。更に、医療用ポンプ収容ラック２００より、連携が成立した旨の通知を受信すると、送液を開始する。なお、上述したように、流量設定変更の通知は、医療用ポンプ収容ラック２００がその都度ポンプＢへ通知するように構成しても、あるいは、連携開始のタイミングで行う流量通知に含めて通知するように構成してもよいが、連携開始のタイミングで行う流量通知に含めて通知する場合にあっては、ポンプＢは、当該流量通知を受けて、ステップ流量の設定を行い、送液を開始することとなる。なお、ポンプＢにおけるこれらの処理（送液開始処理）の詳細は後述する。
【００６３】
このように、医療用ポンプ収容ラック２００において、ポンプＡとポンプＢとの間の連携が成立したと判断し、その後もポンプＡとポンプＢの送液状態を監視可能な構成とすることで、ポンプＢにおいて何らかの不具合が生じ、Ｗ法による送液を維持すべきでない状況になったにも関わらず、ポンプＢの送液が自動的に開始されてしまうといった事態が回避されることとなる。
【００６４】
また、連携開始タイミング前に変更されたポンプＡの送液中の流量設定を、医療用ポンプ収容ラック２００を介してポンプＢに通知する構成とすることで、ユーザがポンプＡに対して行った流量設定の変更をポンプＢに対しても反映させることが可能となる。
【００６５】
＜５．Ｗ法による送液時の動作の詳細＞
次に、上記Ｗ法による送液時の動作のうち、医療用ポンプ収容ラック２００のＷ法監視機能における連携可否判断処理及び連携成立判断処理と、ポンプＢにおける送液開始処理について以下に詳説する。
【００６６】
（１）連携可否判断処理（ステップＳ４２１）の詳細
はじめに、医療用ポンプ収容ラック２００における連携可否判断処理（ステップＳ４２１）の詳細な流れについて説明する。
【００６７】
図５は、医療用ポンプ収容ラック２００における連携可否判断処理の詳細な流れを示すフローチャートである。ポンプＡ及びポンプＢより、連携する旨の指示を受信した場合に、図５に示す連携可否判断処理が開始される。
【００６８】
ステップＳ５０１では、連携する旨の指示を送信したポンプＡ及びポンプＢのそれぞれの収納位置を識別する。なお、ポンプＡ及びポンプＢのそれぞれの収納位置は、ポンプから連携する旨の指示を受信したポート番号に基づいて識別する。
【００６９】
ステップＳ５０２では、連携する旨の指示を送信したポンプＡ及びポンプＢが、互いに隣接しているか否かを、ステップＳ５０１において識別した収納位置に基づいて判断する。具体的には、それぞれのポート番号が連番となっていれば隣接していると判断し、ステップＳ５０３に進む。一方、それぞれのポート番号が連番となっていなければ隣接していないと判断し、ステップＳ５０６に進む。
【００７０】
ステップＳ５０６では、連携する旨の指示を送信したポンプＡ及びポンプＢに対して、連携が不可である旨を通知する。このように、連携の可否条件として、ポンプＡ及びポンプＢの収納位置が隣接する場合に限定したのは、医療用ポンプ収容ラック２００に収容された複数の医療用ポンプのうち、互いに離れた位置にある医療用ポンプ同士を連携させてしまうと、ユーザによる誤操作を誘発する恐れがあるためである。
【００７１】
ステップＳ５０３では、連携する旨の指示を送信したポンプＡ及びポンプＢにおいて選択されている薬剤を識別する。ステップＳ５０４では、ステップＳ５０３において識別されたそれぞれの薬剤が、一致しているか否かを判定する。
【００７２】
ステップＳ５０４において一致していないと判定された場合には、ポンプＡまたはポンプＢ上でユーザが選択した薬剤が誤っているか、あるいは、連携対象とすべき医療用ポンプとは異なる医療用ポンプを誤って操作し、連携する旨の指示を入力したことが考えられる。いずれにしても、ユーザが誤操作したと判断し、連携する旨の指示を送信したポンプＡ及びポンプＢに対して、連携が不可である旨を通知する。
【００７３】
一方、ステップＳ５０４において一致していると判定された場合には、ステップＳ５０５に進み、連携する旨の指示を送信したポンプＡ及びポンプＢに対して、連携が可能である旨の通知を行う（連携可能通知）。
【００７４】
このように、本実施形態に係る医療用ポンプ収容ラック２００では、ユーザがポンプＡ及びポンプＢ上でそれぞれ連携する旨の指示を入力した段階で、連携の可否を判断し、連携が不可であると判断した場合には、直ちに報知する構成とした。これにより、ユーザの誤操作を低減させることが可能となる。
【００７５】
なお、医療用ポンプ収容ラック２００より、連携が可能である旨の通知を受けたポンプＡでは、送液開始指示の受け付けが可能となり、ユーザは、ポンプＡの送液を開始させることが可能となる。
【００７６】
（２）連携成立判断処理（ステップＳ４２２）の詳細
次に、医療用ポンプ収容ラック２００における連携成立判断処理の流れについて説明する。図６の医療用ポンプ収容ラックにおける連携成立判断処理の詳細な流れを示すフローチャートである。ポンプＡより、送液開始指示が入力された旨の通知を受けた場合に、図６に示す連携成立判断処理が開始される。
【００７７】
ステップＳ６０１では、ポンプＢより送液開始指示が入力された旨の通知を受信したか否かを判定する。ステップＳ６０１において、受信したと判定された場合には、ステップＳ６０２に進む。
【００７８】
一方、ステップＳ６０１において、受信していないと判定された場合には、ステップＳ６０６に進み、連携開始タイミングに到達したか否か（ポンプＡより連携開始指示を受信したか否か）を判定する。そして、連携開始タイミングに到達していないと判定された場合には、ステップＳ６０２に進む。
【００７９】
ステップＳ６０２では、ポンプＡの送液中の流量設定がユーザにより変更されたか否かを判定する。ステップＳ６０２において、ポンプＡの送液中の流量設定がユーザにより変更されたと判定された場合には、ステップＳ６０３に進み、ポンプＢに対して、変更された流量設定を通知した後、ステップＳ６０４に進む。なお、ポンプＢでは、変更された流量設定の通知に基づいて、ステップ流量等を変更する。ただし、本発明はこれに限定されず、例えば、変更された流量設定は医療用ポンプ収容ラック２００に通知されるが、ステップＳ６０３の処理は実行せず、ステップＳ６０４に進むように構成してもよい。この場合、ステップＳ６０５において、変更された流量設定の通知が行われることとなる。
【００８０】
一方、ステップＳ６０２において、ポンプＡの送液中の流量設定がユーザにより変更されていないと判定された場合には、そのままステップＳ６０４に進む。
【００８１】
ステップＳ６０４では、連携開始タイミングに到達したか否か（ポンプＡより連携開始指示を受信したか否か）を判定する。ステップＳ６０４において連携開始タイミングに到達していないと判定された場合には、ステップＳ６０１に戻り、ポンプＢより送液開始指示が入力された旨の通知を受信していない場合にあっては、ポンプＢからの送液開始指示を待つ。一方、ポンプＢからの送液開始指示が入力された旨の通知を既に受信している場合にあっては、連携開始タイミングまで待機する。ただし、ポンプＡの送液中の流量設定が変更された場合には、変更されるたびにポンプＢに通知する。ただし、本発明はこれに限定されず、例えば、ポンプＡの流量が変更されるたびに流量変更の通知が医療用ポンプ収容ラック２００に対して行われるが、その時点ではポンプＢへの通知は行わず、連携開始のタイミングで、最終的なポンプＡの流量をポンプＢに通知するように構成してもよい。
【００８２】
ステップＳ６０４において、連携開始タイミングに到達したと判定された場合には、ステップＳ６０５に進み、ポンプＡ及びポンプＢに対して、連携が成立した旨を通知する（連携成立通知）。これにより、ポンプＢでは送液が開始される。
【００８３】
一方、ステップＳ６０６において、ポンプＢより送信開始指示が入力された旨の通知を受信する前に、連携開始タイミングに到達したと判定された場合には、ステップＳ６０７に進む。ステップＳ６０７では、ポンプＢに対して警報指示を通知する。警報指示が通知されたポンプＢでは、警報を出力する。
【００８４】
ステップＳ６０８では、ポンプＢにおける警報出力が、ユーザによって停止されたか否かを判定し、ステップＳ６０８において警報出力が停止されたと判定された場合には、ステップＳ６０５に進み、ポンプＡ及びポンプＢに対して、連携が成立した旨を通知する（連携成立通知）。
【００８５】
なお、図６においては明示していないが、連携開始タイミングに到達するまでの間に、ポンプＡが医療用ポンプ収容ラック２００から取り外されてしまったり、異常により送液が停止してしまった場合には、ポンプＢに対して、連携が成立しなかった旨を通知する。この場合、ポンプＢが自動的にＷ法による送液を開始することはない。
【００８６】
（３）ポンプＢにおける送液開始処理（ステップＳ４１５）の詳細
次に、ポンプＢにおける送液開始処理（ステップＳ４１５）の流れについて説明する。図７は、ポンプＢにおける送液開始処理の詳細な流れを示すフローチャートである。医療用ポンプ収容ラック２００より、連携が可能である旨の通知を受信すると、ポンプＢでは、図７に示す送液開始処理を開始する。
【００８７】
ステップＳ７０１では、ポンプＡにおいて送液開始指示が入力され、医療用ポンプ収容ラック２００より、ポンプＡにおける送液開始指示が入力された旨の通知を受けたか否かを判定する。ステップＳ７０１において、ポンプＡにおける送液開始指示が入力された旨の通知を医療用ポンプ収容ラック２００より受信した場合には、ステップＳ７０２に進む。なお、医療用ポンプ収容ラック２００が、その都度、変更された流量設定の通知を行わない場合には、ポンプＢでは、ポンプＡの流量設定変更通知を受けないため、ステップＳ７０２は実行せず、ステップＳ７０４へと進む。
【００８８】
ステップＳ７０２では、ポンプＡにおいて送液中の流量設定が変更され、医療用ポンプ収容ラック２００より、変更された流量設定が通知されたか否かを判定する。ステップＳ７０２において、変更された流量設定が通知されていないと判定された場合には、ステップＳ７０４に進む（上述のとおり、ステップＳ７０２を実行しない場合にあっては、直接、ステップＳ７０４に進む）。
【００８９】
一方、ステップＳ７０２において、変更された流量設定が通知されたと判定された場合には、ステップＳ７０３に進み、通知された流量設定に基づいて、ステップ流量等を算出し、設定する（上述のとおり、ステップＳ７０２を実行しない場合にあっては、直接、ステップＳ７０４に進む）。
【００９０】
ステップＳ７０４では、医療用ポンプ収容ラック２００より、連携が成立した旨の通知を受信したか否かを判定し、受信していないと判定された場合には、ステップＳ７０２に戻る（なお、医療用ポンプ収容ラック２００が、その都度、変更された流量設定の通知をポンプＢに対して行わない場合にあっては、ステップＳ７０４に戻る）。
【００９１】
一方、ステップＳ７０４において、受信したと判定された場合には、ステップＳ７０５に進み、送液を開始する（なお、医療用ポンプ収容ラック２００が、その都度、変更された流量設定の通知をポンプＢに対して行わない場合にあっては、このとき受信した流量に基づいて、ステップＳ７０３の処理を実行する）。
【００９２】
以上の説明から明らかなように、本実施形態に係る医療用ポンプ収容ラックでは、収容された複数の医療用ポンプのＷ法による送液を監視するにあたり、
・ユーザが指示した連携に対して、連携可否の判定を行う構成とした。
・ポンプＡの送液開始からポンプＢの送液開始までの間において、連携成立の条件を規定し、当該条件を満たした場合にポンプＢの送液を開始させる構成とした。
【００９３】
このように、医療用ポンプ収容ラックにおいて、Ｗ法による送液を行う医療用ポンプに対するユーザの各種操作を監視する構成とすることにより、本実施形態によれば、ユーザの誤操作を低減させることが可能となる。
【００９４】
［第２の実施形態］
上記第１の実施形態では、Ｗ法により送液を行う場合について説明したが、本発明はこれに限定されず、ＰＰＢ法により送液を行う場合においても適用可能である。
【００９５】
＜１．ＰＰＢ法による送液についての説明＞
はじめにＰＰＢ法による送液について説明する。ＰＰＢ法は、２つの医療用ポンプをシーケンシャルに動作させることで、１種類の薬剤を投与完了後に、間隔をあけることなく、異なる種類の薬剤を連続して投与する投与方法である。具体的には、輸液ラインの血液輸液ラインの血液凝固による閉塞を防ぐことを目的として、１種類目の薬剤を所定量送液後、ヘパリンなどの抗凝固剤を２種類目の薬剤として低流量で送液する場合等に利用される。
【００９６】
ＰＰＢ法による送液では、１台目の医療用ポンプが先発ポンプとして送液を終了した時点で、２台目の医療用ポンプが後発ポンプとして送液を開始する。
【００９７】
図８は、所定の２台の医療用ポンプ（ポンプＡとポンプＢ）を用いてＰＰＢ法による送液を行う場合の、各ポンプの流量の時間変化を示す図である。
【００９８】
このうち、グラフ８００は先に送液を行うポンプＡ（先発ポンプ）の流量の時間変化を、グラフ８１０はポンプＡの後に送液を行うポンプＢ（後発ポンプ）の流量の時間変化をそれぞれ示している。
【００９９】
ＰＰＢ法による送液によれば、ポンプＡの送液が完了した時点（ポンプＡの積算量が予定量に達した時点）で、ポンプＢが予め設定された流量にて送液を開始する。
【０１００】
＜２．医療用ポンプ収容ラックの外観構成＞
ＰＰＢ法により送液を行う医療用ポンプが収容される医療用ポンプ収容ラックの外観構成は、既述の図２と同様であるため、ここでは説明を省略する。
【０１０１】
＜３．医療用ポンプシステムの制御構成＞
図９は、本実施形態に係る医療用ポンプ収容ラック９００と医療用ポンプ２２１〜２２３の制御構成例を示すブロック図である。なお、図９に示すブロック図は、医療用ポンプ収容ラック９００の制御部９０１がＰＰＢ監視機能を備えていること以外は、既述の図３のブロック図と同様であるため、同じ参照番号を付すことで説明は省略する。
【０１０２】
図９において、制御部９０１は、不図示のＣＰＵ、ＲＯＭ、ＲＡＭを備えるコンピュータであり、図１０、図１１のフローチャートに示す処理（連携可否判断処理、連携成立判断処理）を含むＰＰＢ法監視機能に関する各種処理プログラムを実行する。
【０１０３】
なお、操作部３１３より入力された信号（データ）は、ポンプ制御部３１２、通信モジュール３１５を介して医療用ポンプ収容ラック９００に送信され、上記ＰＰＢ法監視機能に関する各種処理に用いられる。また、医療用ポンプ収容ラック９００より送信された信号（データ）は、通信モジュール３１５を介して受信され、ポンプ制御部３１２においてＰＰＢ法による送液のための処理に用いられる。
【０１０４】
図９に示す制御構成のもと、医療用ポンプ２２１を先発ポンプ、医療用ポンプ２２２を後発ポンプとして、ＰＰＢ法による送液を行う場合の医療用ポンプ収容ラック９００のＰＰＢ監視機能について、以下に説明する。なお、以下でも、上記第１の実施形態と同様に、先発ポンプを“ポンプＡ”、後発ポンプを“ポンプＢ”と称して説明する。
【０１０５】
＜４．ＰＰＢ法による送液時の動作＞
図１０は、ＰＰＢ法により送液を行う場合のポンプＡ（先発ポンプ）及びポンプＢ（後発ポンプ）の動作、及び、その場合の医療用ポンプ収容ラック９００のＰＰＢ法監視機能による各種処理を説明するための図である。
【０１０６】
はじめに、先発ポンプと後発ポンプの決定方法から説明する。医療用ポンプ収容ラック９００では、２つのポンプからＰＰＢ法連携予約の通知（ＰＰＢ可能薬剤選択の通知）を受けると、一方の医療用ポンプで既に送液が行われている場合にあっては、当該医療用ポンプを先発ポンプ（ポンプＡ）と認識し、もう一方の医療用ポンプに対して、後発ポンプ（ポンプＢ）である旨を通知する。また、両方の医療用ポンプが送液を行っていない場合には、連携予約確立後に先に送液開始通知を受けた方の医療用ポンプを先発ポンプと認識し、もう一方の医療用ポンプに対して、後発ポンプである旨を通知する。また、２台の医療用ポンプのどちらとも既に送液を行っている場合には、連携不成立である旨を両方の医療用ポンプに通知する。
【０１０７】
ポンプＡとポンプＢが決定した後、ＰＰＢ法による送液を行うにあたり、はじめに、ポンプＡでは、ステップＳ１００１において、投与する薬剤の選択を受け付ける。
【０１０８】
更に、ステップＳ１００２において、ＰＰＢ法による送液を行うために必要な各種パラメータの設定が行われると、ステップＳ１００３では、ＰＰＢ法による送液を実現するために、他の医療用ポンプ（本例では、ポンプＢ）と連携する旨の指示を受け付ける。
【０１０９】
なお、ステップＳ１００１において選択された薬剤についての情報と、ステップＳ１００３において受け付けた連携する旨の指示は、医療用ポンプ収容ラック９００に送信される。
【０１１０】
同様に、ポンプＢでは、ステップＳ１０１１において、投与する薬剤の選択を受け付け、ステップＳ１０１２においてＰＰＢ法による送液を行うために必要な各種パラメータの設定が行われる。更に、ステップＳ１０１３において、ＰＰＢ法による送液を実現するために、他の医療用ポンプ（本例では、ポンプＡ）と連携する旨の指示を受け付ける。
【０１１１】
なお、ステップＳ１０１１において選択された薬剤についての情報と、ステップＳ４１３において受け付けた連携する旨の指示は、医療用ポンプ収容ラック９００に送信される。
【０１１２】
医療用ポンプ収容ラック９００では、ステップＳ１００１、１００３及びステップＳ１０１１、１０１３において送信された情報に基づいて、ステップＳ１０２１において、ポンプＡとポンプＢとを連携させることが可能であるか否かの判断を行う。
【０１１３】
このように、ポンプＡとポンプＢにおいて連携する旨の指示が選択された場合に、ポンプＡとポンプＢとの連携可否を、ポンプＡ及びポンプＢより送信された情報に基づいて、医療用ポンプ収容ラック９００が判断する構成とすることで、本来連携されるべきでない医療用ポンプをユーザが誤って連携対象としてしまった場合であっても、当該誤操作がユーザに報知されることとなる（つまり、ＰＰＢ法による送液を行うためのユーザによる各種操作における誤操作を低減させることが可能となる）。なお、連携可否判断処理の詳細は後述する。
【０１１４】
ステップＳ１０２１における連携可否判断処理の結果、連携可能であると判定された場合、医療用ポンプ収容ラック９００では、ポンプＡ及びポンプＢにその旨を通知する（連携可能通知）。
【０１１５】
ステップＳ１０２１において通知された、連携可否判断処理の結果が、連携可能であった場合、ポンプＡでは、ステップＳ１００４において、ユーザによる送液開始指示の入力を受け付ける（ユーザによる送液開始指示の操作が有効になる）。
【０１１６】
更に、当該指示の入力を受け付けた場合には、ステップＳ１００５において、送液が開始されるとともに、送液が開始されたことが医療用ポンプ収容ラック９００に通知される。
【０１１７】
医療用ポンプ収容ラック９００では、ステップＳ１０２２において、ポンプＡにより送液が開始された旨の通知をポンプＡより受信すると、ポンプＢにその旨を通知する。
【０１１８】
ポンプＢでは、当該通知を受信すると、ユーザによる送液開始指示の操作を有効にする。以降、連携開始タイミングに到達するまでの間、ポンプＢでは、送液開始指示の受け付けが可能となる。
【０１１９】
ステップＳ１０１４において、ポンプＢが、ユーザによる送液開始指示の入力を受け付けると、ポンプＢでは、その旨を医療用ポンプ収容ラック９００に通知する。
【０１２０】
これにより、医療用ポンプ収容ラック９００では、ステップＳ１０２２において、ポンプＢの送液準備が完了したと認識する。
【０１２１】
なお、このように、ポンプＡのみならずポンプＢにおいてもユーザに送液開始指示を入力させる構成としたのは、患者の安全性の確保を考慮したためである。つまり、ポンプＡの送液開始指示を受け付けることで、ポンプＡの送液とポンプＢの送液とを自動的に開始させる構成としてしまうと、ポンプＡの送液開始指示が入力された後は、ユーザによってポンプＢの状態が監視されることなく、ポンプＢの送液が開始されてしまうこととなるからである。
【０１２２】
本実施形態に係る医療用ポンプ収容ラック９００では、上記構成とすることで、このような事態を回避することができる。
【０１２３】
ステップＳ１０２２において、医療用ポンプ収容ラック９００では、更に、ポンプＢの送液準備が完了したと認識すると、連携開始タイミングまで待機する。
【０１２４】
更に、連携開始タイミングに到達し、ステップＳ１００６において、ポンプＡが連携開始指示（完了警報）を送信すると、医療用ポンプ収容ラック９００では、ステップＳ１０２２において、ポンプＡより送信された連携開始指示により、ポンプＡとポンプＢとの間の連携が成立したものと認識し、ポンプＡ及びポンプＢに対してその旨を通知する（連携成立通知）。なお、ステップＳ１０２２におけるこれらの処理（連携成立判断処理）の詳細は後述する。
【０１２５】
ポンプＢでは、医療用ポンプ収容ラック９００より、連携が成立した旨の通知を受信すると、送液を開始する。なお、ポンプＢにおける送液開始処理の詳細は後述する。
【０１２６】
このように、医療用ポンプ収容ラック９００において、ポンプＡとポンプＢとの間の連携が成立したと判断し、その後もポンプＡとポンプＢの送液状態を監視可能な構成とすることで、ポンプＢにおいて何らかの不具合が生じ、ＰＰＢ法による送液を維持すべきでない状況になったにも関わらず、ポンプＢの送液が自動的に開始されてしまうといった事態が回避されることとなる。
【０１２７】
＜５．ＰＰＢ法による送液時の動作の詳細＞
次に、上記ＰＰＢ法による送液時の動作のうち、医療用ポンプ収容ラック９００のＰＰＢ法監視機能における連携可否判断処理及び連携成立判断処理と、ポンプＢにおける送液開始処理について以下に詳説する。
【０１２８】
（１）連携可否判断処理（ステップＳ１０２１）の詳細
はじめに、医療用ポンプ収容ラック９００における連携可否判断処理（ステップＳ１０２１）の詳細な流れについて説明する。
【０１２９】
図１１は、医療用ポンプ収容ラック９００における連携可否判断処理の詳細な流れを示すフローチャートである。ポンプＡ及びポンプＢより、連携する旨の指示を受信した場合に、図１１に示す連携可否判断処理が開始される。
【０１３０】
ステップＳ１１０１では、連携する旨の指示を送信したポンプＡ及びポンプＢのそれぞれの収納位置を識別する。なお、ポンプＡ及びポンプＢのそれぞれの収納位置は、ポンプから連携する旨の指示を受信したポート番号に基づいて識別する。
【０１３１】
ステップＳ１１０２では、連携する旨の指示を送信したポンプＡ及びポンプＢが、互いに隣接しているか否かを、ステップＳ１１０１において識別した収納位置に基づいて判断する。具体的には、それぞれのポート番号が連番となっていれば隣接していると判断し、ステップＳ１１０３に進む。一方、それぞれのポート番号が連番となっていなければ隣接していないと判断し、ステップＳ１１０６に進む。
【０１３２】
ステップＳ１１０６では、連携する旨の指示を送信したポンプＡ及びポンプＢに対して、連携が不可である旨を通知する。このように、連携の可否条件として、ポンプＡ及びポンプＢの収納位置が隣接する場合に限定したのは、医療用ポンプ収容ラック９００に収容された複数の医療用ポンプのうち、互いに離れた位置にある医療用ポンプ同士を連携させてしまうと、ユーザによる誤操作を誘発する恐れがあるためである。
【０１３３】
ステップＳ１１０３では、連携する旨の指示を送信したポンプＡ及びポンプＢにおいて選択されている薬剤を識別する。ステップＳ１１０４では、ステップＳ１１０３において識別されたそれぞれの薬剤が、ＰＰＢ法による送液が可能な薬剤か否かを判定する。具体的には、ＰＰＢ法による送液に適用可能な薬剤として医療用ポンプ収容ラック９００に予め登録されている薬剤と一致するか否かを判定する。
【０１３４】
ステップＳ１１０４においてポンプＡ及びポンプＢの薬剤がともにＰＰＢ法による送液が可能な薬剤でないと判定された場合には、ポンプＡまたはポンプＢ上でユーザが選択した薬剤が誤っているか、あるいは、連携対象とすべき医療用ポンプとは異なる医療用ポンプを誤って操作し、連携する旨の指示を入力したことが考えられる。いずれにしても、ユーザが誤操作したと判断し、連携する旨の指示を送信したポンプＡ及びポンプＢに対して、連携が不可である旨を通知する。
【０１３５】
一方、ステップＳ１１０４においてポンプＡ及びポンプＢの薬剤がともにＰＰＢ法による送液が可能な薬剤であると判定された場合には、ステップＳ１１０５に進み、連携する旨の指示を送信したポンプＡ及びポンプＢに対して、連携が可能である旨の通知を行う（連携可能通知）。
【０１３６】
このように、本実施形態に係る医療用ポンプ収容ラック９００では、ユーザがポンプＡ及びポンプＢ上でそれぞれ連携する旨の指示を入力した段階で、連携の可否を判断し、連携が不可であると判断した場合には、直ちに報知する構成とした。これにより、ユーザの誤操作を低減させることが可能となる。
【０１３７】
なお、医療用ポンプ収容ラック９００より、連携が可能である旨の通知を受けたポンプＡでは、送液開始指示の受け付けが可能となり、ユーザは、ポンプＡの送液を開始させることが可能となる。
【０１３８】
（２）連携成立判断処理（ステップＳ１０２２）の詳細
次に、医療用ポンプ収容ラック９００における連携成立判断処理の流れについて説明する。図１２は医療用ポンプ収容ラック９００における連携成立判断処理の詳細な流れを示すフローチャートである。ポンプＡより、送液開始指示が入力された旨の通知を受けた場合に、図１２に示す連携成立判断処理が開始される。
【０１３９】
ステップＳ１２０１では、ポンプＢより送液開始指示が入力された旨の通知を受信したか否かを判定する。ステップＳ１２０１において、受信したと判定された場合には、ステップＳ１２０１に戻る。
【０１４０】
一方、ステップＳ１２０１において、受信していないと判定された場合には、ステップＳ１２０４に進み、連携開始タイミングに到達したか否か（ポンプＡより連携開始指示（完了警報）を受信したか否か）を判定する。そして、連携開始タイミングに到達していないと判定された場合には、ステップＳ１２０２に進む。
【０１４１】
ステップＳ１２０２では、連携開始タイミングに到達したか否か（ポンプＡより連携開始指示（完了警報）を受信したか否か）を判定する。ステップＳ１２０２において連携開始タイミングに到達していないと判定された場合には、ステップＳ１２０１に戻る。
【０１４２】
つまり、ポンプＢより送液開始指示が入力された旨の通知を受信していない場合にあっては、ポンプＢからの送液開始指示を待つ。一方、ポンプＢからの送液開始指示が入力された旨の通知を既に受信している場合にあっては、連携開始タイミングまで待機する。
【０１４３】
ステップＳ１２０２において、連携開始タイミングに到達したと判定された場合には、ステップＳ１２０３に進み、ポンプＡ及びポンプＢに対して、連携が成立した旨を通知する（連携成立通知）。これにより、ポンプＢでは送液が開始される。
【０１４４】
一方、ステップＳ１２０４において、ポンプＢより送信開始指示が入力された旨の通知を受信する前に、連携開始タイミングに到達したと判定された場合には、ステップＳ１２０５に進む。ステップＳ１２０５では、ポンプＢに対して警報指示を通知する。警報指示が通知されたポンプＢでは、警報を出力する。
【０１４５】
ステップＳ１２０６では、ポンプＢにおける警報出力が、ユーザによって停止されたか否かを判定し、ステップＳ１２０６において警報出力が停止されたと判定された場合には、ステップＳ１２０３に進み、ポンプＡ及びポンプＢに対して、連携が成立した旨を通知する（連携成立通知）。
【０１４６】
なお、図１２においては明示していないが、連携開始タイミングに到達するまでの間に、ポンプＡが医療用ポンプ収容ラック９００から取り外されてしまったり、異常により送液が停止してしまった場合には、ポンプＢに対して、連携が成立しなかった旨を通知する。この場合、ポンプＢが自動的にＰＰＢ法による送液を開始することはない。
【０１４７】
（３）ポンプＢにおける送液開始処理（ステップＳ１０１５）の詳細
次に、ポンプＢにおける送液開始処理（ステップＳ１０１５）の流れについて説明する。図１３は、ポンプＢにおける送液開始処理の詳細な流れを示すフローチャートである。医療用ポンプ収容ラック９００より、連携が可能である旨の通知を受信すると、ポンプＢでは、図１３に示す送液開始処理を開始する。
【０１４８】
ステップＳ１３０１では、ポンプＡにおいて送液開始指示が入力され、医療用ポンプ収容ラック９００より、ポンプＡにおける送液開始指示が入力された旨の通知を受け付けたか否かを判定する。ステップＳ１３０１において、ポンプＡにおける送液開始指示が入力された旨の通知を医療用ポンプ収容ラック９００より受信した場合には、ステップＳ１３０２に進む。
【０１４９】
ステップＳ１３０２では、医療用ポンプ収容ラック９００より、連携が成立した旨の通知を受信したか否かを判定し、受信していないと判定された場合には、待機する。
【０１５０】
一方、ステップＳ１３０２において、受信したと判定された場合には、ステップＳ１３０３に進み、送液を開始する。
【０１５１】
以上の説明から明らかなように、本実施形態に係る医療用ポンプ収容ラックでは、収容された複数の医療用ポンプのＰＰＢ法による送液を監視するにあたり、
・ユーザが指示した連携に対して、連携可否の判定を行う構成とした。
・ポンプＡの送液開始からポンプＢの送液開始までの間において、連携成立の条件を規定し、当該条件を満たした場合にポンプＢの送液を開始させる構成とした。
【０１５２】
このように、医療用ポンプ収容ラックにおいて、ＰＰＢ法による送液を行う医療用ポンプに対するユーザの各種操作を監視する構成とすることにより、本実施形態によれば、ユーザの誤操作を低減させることが可能となる。
【０１５３】
［第３の実施形態］
上記第１及び第２の実施形態では、Ｗ法により送液を行う医療用ポンプ収容ラックとＰＰＢ法により送液を行う医療用ポンプ収容ラックとをわけて構成することとしたが、本発明はこれに限定されず、１つの医療用ポンプ収容ラックが、Ｗ法監視機能とＰＰＢ法監視機能の両方を備えていてもよい。
【符号の説明】
【０１５４】
２００・・・医療用ポンプ収容ラック、２０１〜２０３・・・収容部、２１１〜２１３・・・ポート、２２１〜２２３・・・医療用ポンプ、２３１〜２３３・・・チューブ、２４１〜２４３・・・チューブ、９００・・・医療用ポンプ収容ラック
【図１】
0005877675.tif 000002
【図２】
0005877675.tif 000003
【図３】
0005877675.tif 000004
【図４】
0005877675.tif 000005
【図５】
0005877675.tif 000006
【図６】
0005877675.tif 000007
【図７】
0005877675.tif 000008
【図８】
0005877675.tif 000009
【図９】
0005877675.tif 000010
【図１０】
0005877675.tif 000011
【図１１】
0005877675.tif 000012
【図１２】
0005877675.tif 000013
【図１３】
0005877675.tif 000014